(57)【要約】【課題】車両の固有識別子と運転手の固有識別子とを容易に関連付けて、車両の運行管理を可能にする。【解決手段】運行管理システム１は、情報端末２０を備え、情報端末２０は、運転手の固有識別子の入力を促す表示部２０４と、車載器１０の固有識別子を撮像する撮像部２０３と、運転手が入力した運転手の固有識別子および撮像部２０３が撮像した車載器１０の固有識別子を識別データに変換する変換部２０２とを備え、車載器１０の固有識別子は、１次元および多次元コードである。【選択図】図１
2018195269.tif 000002
【特許請求の範囲】
【請求項１】
車載器識別情報の１次元および多次元コードを表示する１次元および多次元コード表示装置と、
前記車両に搭載され、前記車両の走行情報および運行情報を収集する車載器と、
前記１次元および多次元コード表示装置から前記車載器識別情報を取得し、運転手から運転手識別情報および会社識別情報を取得する情報端末と、
前記車載器から転送された前記走行情報および前記運行情報を格納し、前記情報端末から転送された前記車載器識別情報、運転手識別情報および会社識別情報を取得し、前記各識別情報から、予め登録されたマスターデータに基づいて、前記運転手識別情報に対応する車両識別情報を特定し、前記運転手識別情報および前記車両識別情報を前記情報端末に応答するサーバと、
前記サーバが格納する、前記運転手識別情報および前記車両識別情報と、前記運転手識別情報および前記車両識別情報に対応する前記走行情報および前記運行情報を前記サーバから取得し、所定の様式に基づいて、前記運転手識別情報、前記車両識別情報、前記走行情報および前記運行情報を整理および配置して出力する管理装置とを備え、
前記マスターデータは、それぞれの識別コードを介して相互に関連した会社識別データ、車両識別データ、車載器識別データおよび運転手識別データを備えることを特徴とする運行管理システム。
【請求項２】
前記情報端末は、
前記運転手に前記運転手識別情報の入力を促す表示部と、
前記１次元および多次元コード表示装置が表示する１次元および多次元コードを撮像する撮像部と、
前記撮像部が撮像した撮像画像から前記車載器識別情報を抽出して車載器識別データに変換し、かつ前記運転手から取得した前記運転手識別情報を運転手識別データに変換する変換部
とを備えることを特徴とする請求項１に記載の運行管理システム。
【請求項３】
１次元および多次元コード表示装置が、車載器識別情報の１次元および多次元コードを表示するステップと、
前記車両に搭載され、前記車両の走行情報および運行情報を収集する車載器と、
情報端末が、前記１次元および多次元コード表示装置から前記車載器識別情報を取得し、運転手から運転手識別情報および会社識別情報を取得するステップと、
サーバが、前記車載器から転送された前記走行情報および前記運行情報を格納し、前記情報端末から転送された前記車載器識別情報、運転手識別情報および会社識別情報を取得し、前記各識別情報から、予め登録されたマスターデータに基づいて、前記運転手識別情報に対応する車両識別情報を特定し、前記運転手識別情報および前記車両識別情報を前記情報端末に応答するステップと、
管理装置が、前記サーバが格納する、前記運転手識別情報および前記車両識別情報と、前記運転手識別情報および前記車両識別情報に対応する前記走行情報および前記運行情報を前記サーバから取得し、所定の様式に基づいて、前記運転手識別情報、前記車両識別情報、前記走行情報および前記運行情報を整理および配置して出力するステップとを含み、
前記マスターデータは、それぞれの識別コードを介して相互に関連した会社識別データ、車両識別データ、車載器識別データおよび運転手識別データを備えることを特徴とする運行管理方法。
【請求項４】
前記情報端末が実行するステップは、
表示部が、前記運転手に前記運転手識別情報の入力を促すステップと、
撮像部が、前記１次元および多次元コード表示装置が表示する１次元および多次元コードを撮像するステップと、
変換部が、前記撮像部が撮像した撮像画像から前記車載器識別情報を抽出して車載器識別データに変換し、かつ前記運転手から取得した前記運転手識別情報を運転手識別データに変換するステップ
とを含むことを特徴とする請求項３に記載の運行管理方法。
【発明の詳細な説明】
【技術分野】
【０００１】
本発明は、車両の固有識別子と運転手の固有識別子とを関連付けて管理する運行管理システムおよび運行管理方法に関し、より詳細には、車載器の固有識別子に１次元および多次元コードを利用した運行管理システムおよび運行管理方法に関する。
【背景技術】
【０００２】
従来、車両に搭載された車載装置または車載システムから、車両情報および車両の運行情報を取得し、管理センターに設けられた管理システムにより、管理センター等で集中管理する運行管理装置または運行管理システムが知られている（特許文献１）。
【０００３】
また、予め定められた会員が有する複数の車両の各々に搭載され、車載器から取り込んだ位置情報に基づいて会員が車両の現在位置を管理する上で必要な支援情報を提供する車両管理支援装置、及び、その車両管理支援プログラム、並びに、車両管理支援装置と車載器とを備え、車両管理支援装置が出力した支援情報に基づいて車両の運行を管理する運行管理システムが知られている（特許文献２、３）。これにより、会員は表示された支援情報を確認することで、会員が所有する全ての車両の現在位置を迅速、容易に把握、確認することができる。
【先行技術文献】
【特許文献】
【０００４】
【特許文献１】特開２００４−１９９１７９号明細書
【特許文献２】特開２００３−３１７１９６号明細書
【特許文献３】特開２０１６−１１８９９８号明細書
【発明の概要】
【発明が解決しようとする課題】
【０００５】
しかしながら、特許文献２に係る発明では、会員所有の車両情報は管理できても、車両と車両を操作する運転手との情報を関連付けて管理できないという問題があった。
【０００６】
本発明は、従来の発明が有する上記問題点を鑑み、成されたものであり、車両と運転手とを容易に関連付けて管理する運行管理システムおよび運行管理方法を提供することを目的としている。
【課題を解決するための手段】
【０００７】
上記目的を達成するために、請求項１に記載の発明は、車載器識別情報の１次元および多次元コードを表示する１次元および多次元コード表示装置と、前記車両に搭載され、前記車両の走行情報および運行情報を収集する車載器と、前記１次元および多次元コード表示装置から前記車載器識別情報を取得し、運転手から運転手識別情報および会社識別情報を取得する情報端末と、前記車載器から転送された前記走行情報および前記運行情報を格納し、前記情報端末から転送された前記車載器識別情報、運転手識別情報および会社識別情報を取得し、前記各識別情報から、予め登録されたマスターデータに基づいて、前記運転手識別情報に対応する車両識別情報を特定し、前記運転手識別情報および前記車両識別情報を前記情報端末に応答するサーバと、前記サーバが格納する、前記運転手識別情報および前記車両識別情報と、前記運転手識別情報および前記車両識別情報に対応する前記走行情報および前記運行情報を前記サーバから取得し、所定の様式に基づいて、前記運転手識別情報、前記車両識別情報、前記走行情報および前記運行情報を整理および配置して出力する管理装置とを備え、前記マスターデータは、それぞれの識別コードを介して相互に関連した会社識別データ、車両識別データ、車載器識別データおよび運転手識別データを備える運行管理システムであることを要旨とする。
【０００８】
つぎに、請求項２に記載の発明は、前記情報端末は、前記運転手に前記運転手識別情報の入力を促す表示部と、前記１次元および多次元コード表示装置が表示する１次元および多次元コードを撮像する撮像部と、前記撮像部が撮像した撮像画像から前記車載器識別情報を抽出して車載器識別データに変換し、かつ前記運転手から取得した前記運転手識別情報を運転手識別データに変換する変換部とを備える運行管理システムであることを要旨とする。
【０００９】
つぎに、請求項３に記載の発明は、１次元および多次元コード表示装置が、車載器識別情報の１次元および多次元コードを表示するステップと、前記車両に搭載され、前記車両の走行情報および運行情報を収集する車載器と、情報端末が、前記１次元および多次元コード表示装置から前記車載器識別情報を取得し、運転手から運転手識別情報および会社識別情報を取得するステップと、サーバが、前記車載器から転送された前記走行情報および前記運行情報を格納し、前記情報端末から転送された前記車載器識別情報、運転手識別情報および会社識別情報を取得し、前記各識別情報から、予め登録されたマスターデータに基づいて、前記運転手識別情報に対応する車両識別情報を特定し、前記運転手識別情報および前記車両識別情報を前記情報端末に応答するステップと、管理装置が、前記サーバが格納する、前記運転手識別情報および前記車両識別情報と、前記運転手識別情報および前記車両識別情報に対応する前記走行情報および前記運行情報を前記サーバから取得し、所定の様式に基づいて、前記運転手識別情報、前記車両識別情報、前記走行情報および前記運行情報を整理および配置して出力するステップとを含み、前記マスターデータは、それぞれの識別コードを介して相互に関連した会社識別データ、車両識別データ、車載器識別データおよび運転手識別データを備える運行管理方法であることを要旨とする。
【００１０】
つぎに、請求項４に記載の発明は、前記情報端末が実行するステップは、表示部が、前記運転手に前記運転手識別情報の入力を促すステップと、撮像部が、前記１次元および多次元コード表示装置が表示する１次元および多次元コードを撮像するステップと、変換部が、前記撮像部が撮像した撮像画像から前記車載器識別情報を抽出して車載器識別データに変換し、かつ前記運転手から取得した前記運転手識別情報を運転手識別データに変換するステップとを含む運行管理方法であることを要旨とする。
【発明の効果】
【００１１】
本発明によると、車両の固有識別子と運転手の固有識別子を迅速容易に関連付けて、車両の運行管理を実施することができる。その結果、運行開始の際の乗車において発生する乗車処理の工程が格段に少なくなり、当該処理に掛かる労力および時間が格段に削減される。
【図面の簡単な説明】
【００１２】
【図１】運行管理システムの概略図である。
【図２】各種識別データのリスト図である。
【図３】車載器のブロック図である。
【図４】情報端末のブロック図である。
【図５】サーバのブロック図である。
【図６】運行管理装置のブロック図である。
【図７】車両に乗車する際に操作する、情報端末の画面遷移図である。
【図８】車両から降車する際に操作する、情報端末の画面遷移図である。
【図９】対象車両への乗車の際の、各種識別情報の関連付け処理に対するフローチャートである。
【発明を実施するための形態】
【００１３】
本発明の運行管理装置および運行管理方法について、各図を参照しながら説明する。なお、本発明は下記各実施形態に限定されるものではなく、本発明の要旨を逸脱しない範囲において規模、コスト、利用目的、環境設備等に応じて種々変形可能であり、種々の改良及び設計の変更が可能であり、種々の実施例、変形例を採用することができる。
＜運行管理システムの構成＞
図１等に基づいて、運行管理システム１の構成を説明する。
【００１４】
図１に示すように、本発明に係る運行管理システム１は、情報提供機能を有する情報提供領域Ａと、情報記憶機能を有する情報記憶領域Ｂと、情報管理機能を有する情報管理領域Ｃで構成される。情報提供領域Ａ、情報記憶領域Ｂおよび情報管理領域Ｃはそれぞれ通信ネットワーク５０を通して情報の送受信を行う。送受信される情報は、少なくとも、後述する車両１１の機器情報および事象情報、会社（組織）識別情報、車両識別情報、車載器識別情報および運転手識別情報を含む。機器情報は、主に、車両が備える機器等の統計的な情報であって、車両位置情報（緯度・軽度）、車速、エンジン回転数、アクセル／スロットル開度、エンジン冷却水温、ブレーキＳＷ、積算距離、積算燃料、バッテリー電圧、瞬間燃費、燃料噴射量および加速度センサー情報（ＸＹＺ軸）等が該当する。事象情報は、主に、環境等の車両および運転手に及ぼした影響が要因となり、変化した車両の状態に関する情報であって、速度超過、急加速、急減速、急ハンドル、衝撃検知、段差、ＡＢＳ状態、バッテリー電圧、エンジン冷却水温、ＳＯＣ（State Of Charge：電池残量）等が該当する。機器情報および事象情報は、車両の走行情報や運行情報に関するデータとして、サーバ３０に格納される。
会社（組織）識別情報、車両識別情報、車載器識別情報および運転手識別情報は、（ａ）会社（組織）識別データ、（ｂ）車両識別データ、（ｃ）車載器識別データおよび（ｄ）運転手識別データとして、それぞれ後述するサーバ３０に格納される。図２に示すように、（ａ）会社（組織）識別データは、会社の固有識別コード、会社ＩＤおよび会社名を含む。また（ｂ）車両識別データは、車両の固有識別コード、車両ナンバー、車両名および会社の固有識別コードを含む。また（ｃ）車載器識別データは、車載器の固有識別コードを含む。また（ｄ）運転手識別データは、運転手の固有識別コード、運転手ＩＤ、運転手名およびパスワードを含む。各種固有識別子はコード化され、各種固有識別コードとしてデータ化されている。図２に示すように、車載器の固有識別コードおよび車両の固有識別コードは関連付けられ、運転手の固有識別コードおよび会社の固有識別コードは関連付けられる。図２に示すように、各種識別データにおいて、それぞれの固有識別子には対応する固有識別コードが付与される。
【００１５】
（ａ）会社（組織）識別データ、（ｂ）車両識別データ、（ｃ）車載器識別データおよび（ｄ）運転手識別データは、予め所定の形式により後述する記憶部３０５または記憶装置３００にマスターデータとして格納されている。
【００１６】
（１）情報提供領域Ａには、車両１１と、車両に搭載された１０と、１次元および多次元コード化された車載器の固有識別子を表示する１次元および多次元コード表示装置１２と、情報端末２０とが属する。
【００１７】
車載器１０は、車両１１から収集した機器情報および事象情報等の運行情報等をサーバに転送する。
【００１８】
図３に示すように、車載器１０は、通信部１０１と、変換部１０２、検出部１０３、測位部１０４、制御部１０５、インタフェース部１０６および表示部１０７を備える。
【００１９】
通信部１０１は、３Ｇ（第３世代移動通信システム）、４Ｇ（第４世代移動通信システム）等の規格に準拠する無線通信を実施する。通信部１０１は、通信ネットワーク５０を経由して、所定の無線通信システムの規格に準じた通信方法で、サーバ３０に車両１１の機器情報および事象情報等を転送する。
【００２０】
変換部１０２は、車両１１から取得した機器情報および事象情報等を、サーバ３０が管理可能なデータ形式に変換する。また、変換部１０２は、運行管理装置４０にて出力するために必要なデータをフィルタリングする。
【００２１】
検出部１０３は、インタフェース部１０６を通して、車両１１の機器情報および事象情報等を取得する。
【００２２】
測位部１０４は、ＧＰＳアンテナ（図示せず）を利用して、車載器１０の現在位置を取得するための受信機を採用可能である。
【００２３】
制御部１０５は、車載器１０の各構成要素全体を制御するＣＰＵ等を採用可能である。
【００２４】
インタフェース部１０６は、車載器１０と車両１１を接続するためのコネクタ端子を採用可能である。車載器１０は、車両の機器情報および事象情報等を、インタフェース部１０６を通して取得する。また、インタフェース部１０６は、運転手等が車載器のキャリブレーションを実施するためのスイッチを採用可能である。
【００２５】
表示部１０７は、ＬＥＤ等の発光体を採用可能である。表示部１０７は、電源状態、圏外、圏内、通信確率、エラー等の車載器１０の動作状態を、発色等の表現方法の違いにより、運転手に伝達する。
【００２６】
つぎに、図４に示すように、情報端末２０は、通信部２０１、変換部２０２、撮像部２０３、表示部２０４、記憶部２０５、制御部２０６およびインタフェース部２０７を備える。
【００２７】
通信部２０１は、３Ｇ（第３世代移動通信システム）、４Ｇ（第４世代移動通信システム）等の規格に準拠する無線通信を実施する。通信部２０１は、通信ネットワーク５０を経由して、所定の無線通信システムの規格に準じた通信方法で、サーバ３０に、関連付けの処理を施された車両の固有識別子および運転手の固有識別子の識別データを転送する。
【００２８】
変換部２０２は、後述する撮像部２０３が撮像した１次元および多次元コードの撮像データから車両１１の固有識別子情報を抽出および解析し、識別データに変換する。また、運転手により、後述するインタフェース部２０７が入力した運転手の固有識別子情報を識別データに変換する。変換部２０２は、車両１１に関する識別データおよび運転手に関する識別データを関連付ける。
【００２９】
撮像部２０３は、１次元および多次元コード表示装置１２上に表示され、一意な識別子を含む所定の情報を格納した１次元および１次元および多次元コード１３を撮像する。撮像部２０３は、写真を撮像可能なカメラ、例えば、ＣＣＤ（Charge Coupled Device）カメラ、ＣＭＯＳ（Complementary Metal Oxide Semiconductor）カメラ等を採用可能である。
【００３０】
ここで、多次元コードとは、複数の次元に情報を有する表示方式のコードである。例えば、ニ次元コードは、垂直方向および水平方向の２方向に対して情報を有するため、一方向にしか情報を有さない一次元コード（バーコード）よりも多くの情報をコード化できる。２次元コードには、マトリックス式のＱＲコード（登録商標）、ＳＰコード、ＣＰコード等、スタック式のＵｌｔｒａＣｏｄｅ、ＳｕｐｅｒＣｏｄｅ、ＰＤＦ４１７等がある。１次元および多次元コードは、紙媒体、電子媒体等の表面に表示して使用される。
【００３１】
表示部２０４は、運転手に「運転手の固有識別子」の入力を促す画面を表示する。また、表示部２０４は、撮像部２０３が撮像する際の撮像対象を表示する。
【００３２】
記憶部２０４は、サーバ３９と送受信した会社（組織）識別情報、車両識別情報、車載器識別情報および運転手識別情報に関するデータを記憶する。
【００３３】
制御部２０６は、情報端末２０の各構成要素全体を制御するＣＰＵ等を採用可能である。
【００３４】
インタフェース部２０７は、運転手が運転手の固有識別子を入力し、乗車および降車状態を設定するためのタッチパネル、仮想キーボード、タッチパッドおよびポインティングスティック等を採用可能である。
【００３５】
なお、情報端末２０は、運転手が車両１１の乗降時に使用するため、常時携帯しておくのが好ましく、その性質を考慮すると、よりダウンサイジング化、軽量化され、携帯性を有するものが適する。
【００３６】
（２）情報記憶領域Ｂには、サーバ３０と、記憶装置３００とが属する。サーバ３０は、所定のデータモデルに基づいて、車載器１０および情報端末２０から転送された車両識別データおよび運転手識別データならびにそれらの関連付けデータをデータベースに整理・統合して格納し、管理制御する。サーバ３０は、データベースを内部に有し、データベース管理システムが動作する、データベースサーバを採用可能である。データベースサーバは、後述する運行管理装置４０からの検索等のリクエストに対して、データベースの検索などの処理を実施し、処理結果を返す。記憶装置３００は、複数のデータおよびデータベース等を格納する。記憶装置３００は、サーバ３０の内部に構成されてもよく、外部で接続されてもよく、役割ごとに内部および外部の両方で構成されてもよい。
【００３７】
図５に示すように、サーバ３０は、通信部３０１、認証部３０２、処理部３０３、制御部３０４および記憶部３０５を備える。
【００３８】
通信部３０１は、伝送路にケーブル等を使用した有線通信またはケーブル等を使用しない無線通信を実施する。有線通信には、電線、光ファイバー等の伝送路を採用可能である。無線通信には、３Ｇ（第３世代移動通信システム）、４Ｇ（第４世代移動通信システム）等の規格に準拠する通信方式を採用可能である。通信部３０１は、所定の通信システムの規格に準じた通信方法で、車両１１の機器情報データおよび事象情報データ等ならびに（ａ）会社（組織）識別データ、（ｂ）車両識別データ、（ｃ）車載器識別データおよび（ｄ）運転手識別データ等を、通信ネットワーク５０を介して車載器１０および情報端末２０と送受信する。また、通信部３０１は、後述する運行管理装置４０からの各種データの送信要求を受信する。
【００３９】
認証部３０２は、情報端末２０から転送された会社の固有識別子である会社ＩＤ、運転手の固有識別子である運転手ＩＤおよびパスワードを所定のマスターデータと照合することで、情報端末２０の使用者が対象車両を使用可能な権利者か否かを確認するとともに、会社識別情報および運転手識別情報を関連付けた結果を情報端末２０に返す。
【００４０】
処理部３０３は、車両１１の運行情報等を車載器１０から取得し、運転手識別情報等と関連付けた上で、外部に接続された記憶装置３００または後述する記憶部３０５に格納する。また、処理部３０３は、通信部３０１から転送された運行管理装置４０からの要求を受け取り、解釈し、必要なデータを処理し、応答する。たとえば、後述する運行管理装置４０の各種データ送信要求を受信し、要求されたデータを所定の形式で運行管理装置４０に転送する。なお、処理部３０３は、データベース管理システム等を採用可能である。
【００４１】
制御部３０４は、サーバ３０の各構成要素全体を制御するＣＰＵ等を採用可能である。
【００４２】
記憶部３０５は、管理テーブル、データ等を記憶する。記憶部３０５は、ＨＤＤ（Hard Disk Drive）等の不揮発性半導体メモリ、不揮発性半導体メモリを含む半導体メモリ等を採用可能である。記憶部３０５に格納されたデータ等は、同様に記憶部３０５に記憶されたデータベース管理システム等のプログラムに従って、制御部３０４が処理部３０３を制御し、データベースを構築し、データベースを用いてデータを管理する。
【００４３】
（３）情報管理領域Ｃには、運行管理装置４０が属する。
図６に示すように、運行管理装置４０は、通信部４０１、変換部４０２、表示部４０３、制御部４０４、インタフェース部４０５を備える。
【００４４】
通信部４０１は、伝送路にケーブル等を使用した有線通信またはケーブル等を使用しない無線通信を実施する。有線通信には、電線、光ファイバー等の伝送路を採用可能である。無線通信には、３Ｇ（第３世代移動通信システム）、４Ｇ（第４世代移動通信システム）等の規格に準拠する通信方式を採用可能である。通信部４０１は、通信ネットワーク５０を経由して、所定の通信システムの規格に準じた通信方法で、サーバ３０と各種情報を送受信する。通信部４０１は、運行管理装置４０を操作する運行管理者の指示に従って、運行管理に必要なデータの要求をサーバ３０に転送する。また、通信部４０１は、転送した要求に対する応答をサーバ３０から取得する。ここで、運行管理者とは、事業用車両の運転手の乗務割の作成、運転手の休憩等の保守管理、運転手への安全運行の指示等、事業用車両の運行の安全を確保する。そのため、運行管理者は、車両の運行データを基に、対象の運転手ごとの運行実績を管理する。運転手が、所定の運行管理のガイドラインの制限を逸脱した運行を実施した場合は、運転管理者によって、指導が行われる。運行管理者は、運行管理装置を使用して、蓄積した運行データを統計的に分析、解析する。運行管理装置は、運行管理のプログラムを実行する。
【００４５】
変換部４０２は、運行管理者の指示に基づいて、サーバ３０からの応答として取得した各種データを所定のフォーマットに従って整理、配置および加工する。
【００４６】
表示部４０３は、変換部４０２が作成した、データを組み合わせたフォーマットを表示する。
【００４７】
制御部４０４は、運行管理装置４０の各構成要素全体を制御するＣＰＵ等を採用可能である。制御部４０４は、運行管理の用に供する有益なプログラムに従って変換部４０２および表示部４０３等が実行するよう制御する。
【００４８】
インタフェース部４０５は、運行管理者からの指示を入力する支援をする。インタフェース部４０５は、キーボードおよびマウス等を採用可能である。
＜各種識別情報の関連付け処理のための情報端末の使用方法＞
本発明の一実施形態として、図１、図７および図８等に基づいて、情報端末を使用した運転手の乗降車処理方法、車両識別情報および運転手識別情報の関連付け方法を説明する。
【００４９】
運転手は、乗車する車両１１の車両情報と自身の運転手情報との関連付けを実施するために、車載器の固有識別子等をコード化した１次元および多次元コード１３を表示した１次元および多次元コード表示装置１２、携帯性を有する情報端末２０および情報端末２０にインストールされた運行管理アプリを使用する。
【００５０】
図７（１）において、運転手は車両１１を使用するために、情報端末２０の運行管理アプリを起動し、ログイン待機画面を表示する。情報端末は、待機画面で運転手に対して、会社ＩＤ、運転手ＩＤおよびパスワードの入力を促す。
【００５１】
図７（２）において、情報端末２０は、運転手の指示に従い、情報端末２０はタッチパネル等のインタフェースを通して、会社ＩＤ、運転手ＩＤおよびパスワードの入力を実行する。各種入力必須項目の入力が完了すると、情報端末２０は、運転手の支持に従って、「ログイン」と記載されたアイコンボタンを押下することで、ログイン処理を開始する。
【００５２】
図７（３）において、サーバ３０が上記ＩＤおよびパスワード情報によりログインの認証を行い、ログインを許可すると、情報端末２０は、運転手名を表示した車両特定画面を表示する。運転手は、乗車する車両を特定するため、本画面において「バーコードで乗車」を選択する。１次元および多次元コード１３が１次元コードである際は、図７（３）のとおり「バーコード」と表示されるが、１次元および多次元コード１３が２次元以上である際は、「多次元コード」と表示されうる。本発明の一実施形態の説明には、１次元および多次元コード１３に２次元コードを使用するが、図面での表示は便宜的に「バーコードで乗車」として説明する。
【００５３】
図７（４）において、情報端末２０は、２次元コードを撮像し、撮像画像から車載器情報を抽出変換する。車載器識別情報には車載器を識別するための固有識別子が含まれている。２次元コードが表示された１次元および多次元コード表示装置１２には、情報端末２０等による車載器情報の取得容易化のため、ＩＤタグおよびＩＤカード等が採用可能である。抽出された車載器情報はサーバ３０に転送される。
【００５４】
図７（５）において、情報端末２０は、車載器情報を転送したサーバ３０からの応答として、車両ナンバーおよび車両名を表示する。運転手は、表示された車両識別情報が真正か否かを確認し、乗車に係る最終判断を行う。乗車を実施する際には、運転手の指示に従って、情報端末２０は、「乗車する」と記載されたアイコンボタンを押下する。情報端末２０が、「乗車する」のアイコンボタンを押下すると、情報端末２０から運転手識別情報、車両識別情報および乗車日時が転送される。当該表示により、車両と運転手が関連付けられたことがわかる。なお、乗車日時には便宜的に上記「乗車する」のアイコンボタン押下時が採用される。
【００５５】
図７（６）において、上記関連付けが完了すると、情報端末２０は、サーバ３０から取得した乗車日時をさらに表示する。図７（６）の表示から、運転手識別情報、車両識別情報および乗車日時が関連付けられていることがわかる。
【００５６】
つづいて、運転手は、業務終了後に降車処理を実施する。
【００５７】
図８（１）において、情報端末２０は、運転手の指示に従って、「降車」と記載されたアイコンボタンを押下する。
【００５８】
図８（２）において、情報端末２０は、降車処理を継続する場合は、運転手の支持に従って、「降車する」と記載されたアイコンボタンを押下する。情報端末２０は、降車情報をサーバ３０に転送する。サーバ３０は、取得した降車情報に基づいて、車両識別情報および運転手識別情報の関連付けを解除する。
【００５９】
図８（３）において、情報端末２０は、降車処理の結果を表示する。情報端末２０による降車処理の指示に対し、サーバ３０は上記関連付けの解除情報を応答する。図８（３）には、車両識別情報等が表示されていないため、車両識別情報および運転手識別情報の関連付けが解除されたことがわかる。
【００６０】
以上のように、本発明の一実施形態における運行管理システムでは、車両識別情報および運転手識別情報の関連付けは、情報端末２０に表示されたアイコンボタンを押下する数ステップの操作で、迅速および容易に完了することが可能である。従来、サーバ３０に転送すべき車両情報は、運転手が仮想キーボード等を使って所定のフォーマットに基づき文字情報として１文字ごとに入力していたため、入力情報が膨大となり、入力時間や入力の労力が甚大であった。また、多機能のための操作の困難性や選択性のために入力ミスも発生し易く、入力ミスの修正にはさらに数倍の時間や労力を費やす結果となっていた。しかしながら、本発明にかかる運行管理システムおよび運行管理方法により、車両識別情報および運転手識別情報の関連付けの負担は、著しく軽減された。多ければ１日に複数回発生する乗降処理において、負担の軽減による業務効率向上への功績、貢献は計り知れない。
＜各種識別情報の関連付け処理＞
本発明の一実施形態における各種識別情報の関連付け処理について、図９を用いて説明する。
【００６１】
図９に示すように、ステップＳ１０１において、情報端末２０は、ログイン画面を用いて、会社の固有識別子を含む会社識別情報、運転手の固有識別子を含む運転手識別情報、および情報端末３０を用いてサーバ３０にログインするためのパスワード等の入力を促す。
【００６２】
ステップＳ１０２において、運転手の指示に従い、情報端末２０は、会社識別情報である会社ＩＤ、運転手識別情報である運転手ＩＤおよびサーバ３０からログイン認証を得るためのパスワードを入力する。
【００６３】
ステップＳ１０３において、情報端末２０は、会社ＩＤ、運転手ＩＤおよびパスワードをサーバ３０に転送する。
【００６４】
ステップＳ１０４において、サーバ３０は、情報端末２０が転送した会社ＩＤ、運転手ＩＤおよびパスワードを取得する。つづいて、サーバ３０は、取得した情報の正当性を確認するため、認証処理を実行する。認証処理では、図２に示すマスターデータの値と、情報端末２０が転送した会社ＩＤ、運転手ＩＤおよびパスワードを比較することで実施される。ステップＳ１０４においてサーバ３０が取得した各種情報の値が、マスターデータの値と１つでも相違する場合は、認証が失敗する。認証が成功すれば、ステップＳ１０５に移行する。
【００６５】
ステップＳ１０５において、サーバ３０は、認証処理の結果を情報端末２０に応答する。認証処理の成功結果として、サーバ３０は、情報端末２０に運転手名を含む運転者識別情報を転送する。サーバ３０は、情報端末２０から取得した会社ＩＤおよび運転手ＩＤ、図２に示すマスターデータに基づいて、運転手名を特定する。運転者識別情報を受理した情報端末２０は、図７（３）に示すように運転手名を表示し、運転手が乗車する車両の特定画面に遷移する。
【００６６】
ステップＳ１０６において、車両特定画面では、情報端末２０が、乗車する車両１１の車両識別情報を取得する方法を選択する。本発明の一実施形態では、情報端末２０は、運転手の指示に従って、２次元コードを使用した車両の特定方法を使用する。一方で運転手は、図７（３）において、「車両選択で乗車」のアイコンボタンを押下することで、予め登録されている車両情報を用い、プルダウンメニューから、対象の車両を選択して車両を特定する方法を選べるが、本発明の一実施形態においては、説明を省略する。
【００６７】
ステップＳ１０７において、情報端末２０は、１次元および多次元コード表示装置１２に表示された、車載器１０の車載器識別情報を含んでいる２次元コード１３を撮像する。
【００６８】
ステップＳ１０８において、情報端末２０は、２次元コードの撮像データから車載器の固有識別子を含む車載器識別情報を抽出し、所定のデータ形式に変換する。
【００６９】
ステップＳ１０９において、情報端末２０は、会社の固有識別情報を含む会社識別情報およびステップＳ１０８において取得した車載器の固有識別情報を含む車載器識別情報をサーバ３０に転送する。
【００７０】
ステップＳ１１０において、サーバ３０は、会社の固有識別情報および車載器の固有識別情報と図２に示すマスターデータに基づいて、該当する車両識別情報を特定する。
【００７１】
ステップＳ１１１において、サーバ３０は、ステップＳ１１０において特定した、車両名を含む車両識別情報を情報端末２０に転送する。
【００７２】
ステップＳ１１２において、情報端末２０は、サーバ３０が転送した車両識別情報に基づいて、該当する車両１１の車両ナンバーおよび車両名を表示する。
【００７３】
ステップＳ１１３において、運転手は、該当する車両の情報が、情報端末２０に表示された情報と一致しているか否かを確認し、乗車処理を完了させる場合は、乗車処理を継続する。情報端末２０は、運転手識別情報、車両識別情報および乗車日時をサーバ３０に転送する。なお、より正確には、乗車日時は、情報端末２０が乗車処理を実行した日時と一致する。
【００７４】
ステップＳ１１４において、サーバ３０は、情報端末２０が転送した運転手識別情報、車両識別情報および乗車日時に基づいて、図２に示す（ｅ）乗車データを作成する。
【００７５】
ステップＳ１１５において、サーバ３０は、乗車対象の車両１１の乗車データの作成処理が成功した結果を情報端末２０に転送して応答する。
【００７６】
ステップＳ１１６において、情報端末２０は、サーバからの当該応答に基づいて、さらに乗車日時を表示する。これによって、情報端末２０は、運転手名、車両ナンバー、車両名および乗車日時を同時に表示し、車両識別情報と運転手識別情報が関連付けられたことがわかる。
【００７７】
以上で運転手の運転手識別情報と、乗車対象車両の車両識別情報との関連付け処理が完了する。
【符号の説明】
【００７８】
１  運行管理システム
１０  車載器
１１  車両
１２  １次元および多次元コード表示装置
１３  １次元および多次元コード
２０  情報端末 
３０  サーバ 
４０  運行管理装置 
５０  通信ネットワーク 
３００  記憶装置
Ａ  情報提供領域
Ｂ  情報記憶領域
Ｃ  情報管理領域
【図１】
2018195269.tif 000003
【図２】
2018195269.tif 000004
【図３】
2018195269.tif 000005
【図４】
2018195269.tif 000006
【図５】
2018195269.tif 000007
【図６】
2018195269.tif 000008
【図７】
2018195269.tif 000009
【図８】
2018195269.tif 000010
【図９】
2018195269.tif 000011